(57)【特許請求の範囲】
【請求項１】
複数の側面板１１と上面板１２で、送風機、ヒータ等を取付けた箱状で側面板１１に排気口８を有し、その排気口８の周縁部にパッキン９が設けられ、前記排気口８を有した側面板１１における排気口８と対向した部分に係止片１３が、上面板１２よりも上方に突出して設けられた本体１と、
複数の側面板２０で本体１とほぼ同一平面形状で上面と下面が開口した筒状で、前記本体１の排気口８を有した側面板１１と対向した側面板２０に穴５を有し、その側面板２０の穴５に排気用筒体６が、内部から外部に向けて挿入して取付けられていると共に、前記穴５を有した側面板２０の上端面２０ａにおける穴５と対向した部分に、前記係止片１３が係止する下向鉤形の係止爪片２１が、その上端面２０ａよりも上方に突出して設けられた本体取付枠２を備え、
前記本体取付枠２が天井パネル３の開口部４より天井裏に突出して取付けられ、この本体取付枠２内に本体１が挿入されて排気口８と排気用筒体６が接続し、かつ前記パッキン９が排気用筒体６に接して、その接続部がパッキン９で気密され、
前記本体１の係止片１３が本体取付枠２の係止爪片２１に係止して天井パネル３に取付け、
前記排気用筒体６に排気用ダクト２３が接続してあることを特徴とする浴室換気乾燥機の取付け構造。
【請求項２】
複数の側面板１１と上面板１２で、送風機、ヒータ等を取付けた箱状で側面板１１に排気口８を有し、その排気口８の周縁部にパッキン９が設けられた本体１と、
複数の側面板２０と上面板２４で本体１とほぼ同一平面形状で下面が開口した筒状で、その側面板２０の穴５に排気用筒体６が、内部から外部に向けて挿入して取付けられていると共に、上面板２４の一部分にダクト接続作業用の開口部２６が形成されている本体取付枠２を備え、
前記本体取付枠２が天井パネル３の開口部４より天井裏に突出して取付けられ、この本体取付枠２内に本体１が挿入されて排気口８と排気用筒体６が接続し、かつ前記パッキン９が排気用筒体６に接して、その接続部がパッキン９で気密され、
前記本体１が天井パネル３に取付けてあると共に、前記排気用筒体６に排気用ダクト２３が接続してあることを特徴とする浴室換気乾燥機の取付け構造。
【請求項３】
複数の側面板１１と上面板１２で、送風機、ヒータ等を取付けた箱状で側面板１１に排気口８を有し、その排気口８の周縁部にパッキン９が設けられた本体１と、
複数の側面板２０と上面板２４で本体１とほぼ同一平面形状で下面が開口した筒状で、その側面板２０の穴５に排気用筒体６が、内部から外部に向けて挿入して取付けられていると共に、上面板２４の一部分にダクト接続作業用の開口部２６が形成されている本体取付枠２を備え、
前記本体取付枠２が天井パネル３の開口部４より天井裏に突出して天井裏に吊り下げ支持した吊り金具３１と連結され、この本体取付枠２内に本体１が挿入されて排気口８と排気用筒体６が接続し、かつ前記パッキン９が排気用筒体６に接して、その接続部がパッキン９で気密され、
前記本体１が本体取付枠２に連結されていると共に、前記排気用筒体６に排気用ダクト２３が接続してあることを特徴とする浴室換気乾燥機の取付け構造。
【発明の詳細な説明】
【０００１】
【発明の属する技術分野】
本発明は、浴室換気乾燥機を浴室の天井パネルに取付ける構造に関する。
【０００２】
【従来の技術】
浴室換気乾燥機としては、箱状の本体内に送風機、ヒータ等を設け、その本体に排気用筒体を取付たものが一般的である。
この浴室換気乾燥機は、本体を浴室の天井パネルに形成した開口部を通して天井裏に突出し、その本体を開口部周縁に固着すると共に、天井裏に配設した排気用ダクトと排気用筒体を接続して取付けている。
【０００３】
前述の取付け構造であると、排気用ダクトと排気用筒体を天井裏で接続するので新築の建物の場合には天井パネルを全て取付ける以前に浴室内から接続できるが、リフォーム工事の際には作業者が狭い天井裏に入り込んで接続することになり、その接続作業が大変やりずらい。
【０００４】
このことを解消するために図１に示すように、送風機やヒータ等を設けた箱状の本体１が嵌まり込む大きさの本体取付枠２を天井パネル３の開口部４を通して天井裏に突出して天井パネル３に仮固定する。
この本体取付枠２の穴５に排気用筒体６をねじ７で取付け、その本体取付枠２の内部から排気用筒体６と天井裏に配設した排気ダクトを接続する。
この後に本体取付枠２内に本体１を挿入し、本体１の排気口８の周縁に貼着した空気漏れ防止用のパッキン９を排気用筒体６に押しつけて排気口８と排気用筒体６を気密して接続し、本体１のフランジ部１０を天井パネル３の開口部４の周縁にネジ等で固定した取付け構造が考えられる。
【０００５】
この取付け構造であれば、作業者が浴室内から本体取付枠２の内部に手を入れて排気用筒体６と排気用ダクトを接続できるので、リフォーム工事の際にも浴室換気乾燥機を簡単に取付けできる。
【０００６】
【発明が解決しようとする課題】
前述の取付け構造にあっては本体１の排気口８と本体取付枠２の排気用筒体６の接続部から空気、例えば湿気を多く含む空気が漏れないようにするために本体１にパッキン９を貼着し、このパッキン９を排気用筒体６に押しつけて接続部を気密している。
また、本体取付枠２は薄板で四周を囲んだ上面、下面が開口した角筒状で剛性が弱い。
このために、前述のパッキン９に押されて本体取付枠２が変形し、前述の排気口８と排気用筒体６の接続部の気密性が低下し、その接続部から空気が漏れることがある。
【０００７】
そこで、本発明は前述の課題を解決できるようにした浴室換気乾燥機の取付け構造を提供することを目的とする。
【０００８】
【課題を解決するための手段】
第１の発明は、複数の側面板１１と上面板１２で、送風機、ヒータ等を取付けた箱状で側面板１１に排気口８を有し、その排気口８の周縁部にパッキン９が設けられ、前記排気口８を有した側面板１１における排気口８と対向した部分に係止片１３が、上面板１２よりも上方に突出して設けられた本体１と、
複数の側面板２０で本体１とほぼ同一平面形状で上面と下面が開口した筒状で、前記本体１の排気口８を有した側面板１１と対向した側面板２０に穴５を有し、その側面板２０の穴５に排気用筒体６が、内部から外部に向けて挿入して取付けられていると共に、前記穴５を有した側面板２０の上端面２０ａにおける穴５と対向した部分に、前記係止片１３が係止する下向鉤形の係止爪片２１が、その上端面２０ａよりも上方に突出して設けられた本体取付枠２を備え、
前記本体取付枠２が天井パネル３の開口部４より天井裏に突出して取付けられ、この本体取付枠２内に本体１が挿入されて排気口８と排気用筒体６が接続し、かつ前記パッキン９が排気用筒体６に接して、その接続部がパッキン９で気密され、
前記本体１の係止片１３が本体取付枠２の係止爪片２１に係止して天井パネル３に取付け、
前記排気用筒体６に排気用ダクト２３が接続してあることを特徴とする浴室換気乾燥機の取付け構造である。
【０００９】
第２の発明は、複数の側面板１１と上面板１２で、送風機、ヒータ等を取付けた箱状で側面板１１に排気口８を有し、その排気口８の周縁部にパッキン９が設けられた本体１と、
複数の側面板２０と上面板２４で本体１とほぼ同一平面形状で下面が開口した筒状で、その側面板２０の穴５に排気用筒体６が、内部から外部に向けて挿入して取付けられていると共に、上面板２４の一部分にダクト接続作業用の開口部２６が形成されている本体取付枠２を備え、
前記本体取付枠２が天井パネル３の開口部４より天井裏に突出して取付けられ、この本体取付枠２内に本体１が挿入されて排気口８と排気用筒体６が接続し、かつ前記パッキン９が排気用筒体６に接して、その接続部がパッキン９で気密され、
前記本体１が天井パネル３に取付けてあると共に、前記排気用筒体６に排気用ダクト２３が接続してあることを特徴とする浴室換気乾燥機の取付け構造である。
【００１０】
第３の発明は、複数の側面板１１と上面板１２で、送風機、ヒータ等を取付けた箱状で側面板１１に排気口８を有し、その排気口８の周縁部にパッキン９が設けられた本体１と、
複数の側面板２０と上面板２４で本体１とほぼ同一平面形状で下面が開口した筒状で、その側面板２０の穴５に排気用筒体６が、内部から外部に向けて挿入して取付けられていると共に、上面板２４の一部分にダクト接続作業用の開口部２６が形成されている本体取付枠２を備え、
前記本体取付枠２が天井パネル３の開口部４より天井裏に突出して天井裏に吊り下げ支持した吊り金具３１と連結され、この本体取付枠２内に本体１が挿入されて排気口８と排気用筒体６が接続し、かつ前記パッキン９が排気用筒体６に接して、その接続部がパッキン９で気密され、
前記本体１が本体取付枠２に連結されていると共に、前記排気用筒体６に排気用ダクト２３が接続してあることを特徴とする浴室換気乾燥機の取付け構造である。
【００１１】
【作    用】
第１の発明によれば、本体取付枠２を天井パネル３の開口部４より天井裏に突出した状態で穴５に排気用筒体６を挿入し、その本体取付枠２内部から手を出して天井裏に配設した排気用ダクト２３と接続することができるので、リフォーム工事の際に排気用筒体６と排気用ダクト２３を浴室内から接続することができる。
排気用ダクト２３と排気用筒体６を接続した後に本体１を本体取付枠２内に挿入することで本体１の排気口８と排気用筒体６が接続し、その接続部をパッキン９で気密される。
このようであるから、リフォーム工事の際でも浴室換気乾燥機を浴室内から簡単に取付けできるし、排気口８と排気用ダクト６の接続部から空気が漏れることがない。
【００１２】
また、本体取付枠２内に本体１を挿入して取付ることで本体１の係止片１３が本体取付枠２の係止爪片２１に係止し、本体取付枠２の側面板２０がパッキン９で押されても湾曲変形することがない。
このようであるから、排気口８と排気用筒体６の接続部の気密性が低下することがないので、接続部から空気が漏れることを確実に防止できる。
【００１３】
第２の発明によれば、本体取付枠２を天井パネル３の開口部４より天井裏に突出した状態で穴５に排気用筒体６を挿入し、その本体取付枠２の上面板２４の開口部２６から手を出して天井裏に配設した排気用ダクト２３と接続することができるので、リフォーム工事の際に排気用筒体６と排気用ダクト２３を浴室内から接続することができる。
排気用ダクト２３と排気用筒体６を接続した後に本体１を本体取付枠２内に挿入することで本体１の排気口８と排気用筒体６が接続し、その接続部をパッキン９で気密される。
このようであるから、リフォーム工事の際でも浴室換気乾燥機を浴室内から簡単に取付できるし、排気口８と排気用ダクト６の接続部から空気が洩れることがない。
【００１４】
また、本体取付枠２は上面板２４を有し、その上面板２４にダクト接続作業用の開口部２６を形成してあるので、その上面板２４の開口部２６以外の残った部分によって本体取付枠２が補強されて剛性が大であるので、本体取付枠２の側面板２０がパッキン９で押されても湾曲変形することがない。
このようであるから、排気口８と排気用筒体６の接続部の気密性が低下することがないので、接続部から空気が漏れることを確実に防止できる。
【００１５】
第３の発明によれば、本体取付枠２を天井パネル３の開口部４より天井裏に突出して吊り金具３１に連結した状態で穴５に排気用筒体６を挿入し、その本体取付枠２の上面板２４の開口部２６から手を出して天井裏に配設した排気用ダクト２３と接続することができるので、リフォーム工事の際に排気用筒体６と排気用ダクト２３を浴室内から接続することができる。
排気用ダクト２３と排気用筒体６を接続した後に本体１を本体取付枠２内に挿入することで本体１の排気口８と排気用筒体６が接続し、その接続部をパッキン９で気密される。
このようであるから、リフォーム工事の際でも浴室換気乾燥機を浴室内から簡単に取付けできるし、排気口８と排気用ダクト６の接続部から空気が洩れることがない。
【００１６】
また、本体取付枠２は上面板２４を有し、その上面板２４にダクト接続作業用の開口部２６を形成してあるので、その上面板２４の開口部２６以外の部分によって本体取付枠２が補強されて剛性が大であるので、本体取付枠２の側面板２０がパッキン９で押されても湾曲変形することがない。
このようであるから、排気口８と排気用筒体６の接続部の気密性が低下することがないので、接続部から空気が漏れることを確実に防止できる。
【００１７】
また、補強されて剛性大の本体取付枠２が天井裏に吊り下げ支持した吊り金具３１に連結され、その本体取付枠２に本体１が連結してあるので、本体１は本体取付枠２を介して吊り金具３１で吊り下げ支持される。
これによって、天井パネル３の剛性が弱い場合でも浴室換気乾燥機を強固に取付けできる。
【００１８】
【発明の実施の形態】
図２に示すように本体１は４つの側面板１１と上面板１２でほぼ箱状で、３つの側面板１１に排気口８が形成され、その排気口８の周縁にパッキン９が貼着してある。前記排気口８が形成された３つの側面板１１における排気口８と対向した部分に係止片１３が上面板１２よりも上方に突出してそれぞれ一体形成してある。
本体１の上面板１２にはリモコンコード等の配線類１４がテープ１５で固定してある。
【００１９】
本体取付枠２は４つの側面板２０で囲まれ上面と下面が開口し、本体１の平面形状とほぼ同一の筒状で、３つの側面板２０に穴５が形成され、その穴５に排気用筒６を挿入してねじ７で固着される。
前記３つの側面板２０にあける穴５（排気用筒体６）と対向した部分に係止爪片２１を側面板２０の上端面２０ａよりも上方に突出してそれぞれ一体形成する。
この係止爪片２１は下向鉤形で、前記係止片１３が係止するようにしてある。
【００２０】
図３に示すように、本体取付枠２は天井パネル３の開口部４から天井裏に突出し、フランジ部２２を開口部４の周縁部にねじで固定して仮固定される。
仮固定した後に本体取付枠２の内部から穴５に排気用筒体６を挿通すると共に、天井裏に配設してある排気用ダクト２３に挿入して排気用筒体６と排気用ダクト２３を接続し、ねじ７で排気用筒体６を取付ける。
本体１を本体取付枠２内に挿入して係止片１３を係止爪片２１にそれぞれ係止し、フランジ部１０を天井パネル３の開口部周縁にねじ等で固着する。
この後に図示しないグリルを本体１の下面に取付ける。
【００２１】
これによって、本体取付枠２の側面板２０がパッキン９で押されても係止爪片２１が係止片１３に係止しているから、その本体取付枠２の側面板２０が湾曲変形することがなく、排気口８と排気用筒体６の接続部がパッキン９で確実に気密される。
【００２２】
また、本体取付枠２を仮固定した状態で本体１を本体取付枠２内に挿入することによって係止片１３が係止爪片２１に係止するので、その取付け作業は簡単である。
また、配線類１４は本体１の上面板１２に束ねてテープ１５で押えてあるので、本体１を押し上げる際に配線類１４が邪魔にならず、簡単に本体１を取付けできる。
【００２３】
次に、本発明の第２の実施の形態を説明する。
図４に示すように、本体１は４つの側面板１１と上面板１２で上面が平坦なほぼ箱状で、３つの側面板１１に排気口８が形成され、その排気口８の周縁にパッキン９が貼着してある。１０は取付用のフランジ部で、１４はリモコンコード等の配線類でテープ１５で上面板１２に貼りつけてある。
本体取付枠２は４つの側面板２０と上面板２４で大きな下部開口部２５を有する角筒状で、その上面板２４にダクト接続作業用の開口部２６が形成され、その上面板２４の開口部２６以外の残った部分が各側面板２０の上縁部に沿った幅狭な補強用のフランジを形成している。
３つの側面板２０に穴５が形成してあり、この穴５に排気用筒体６が挿通され、ねじ７で取付けられる。
【００２４】
図５に示すように、本体取付枠２を天井パネル３の開口部４から天井裏に突出しフランジ部２２を開口部４の周縁にねじで固定して仮固定される。
仮固定した後に穴５に排気用筒体６を挿通し、本体取付枠２の上面板２４の開口部２６から手を出して天井裏に配設した排気用ダクト２３に挿入して接続し、その排気用筒体６をねじ７で取付ける。
【００２５】
本体取付枠２内に本体１を挿入し、パッキン９を排気用筒体６に押しつけて排気口８と排気用筒体６の接続部を気密する。この後に図示しないグリルを本体１の下面に取付ける。
【００２６】
前記本体取付枠２の側面板２０は上面板２４における開口部２６を形成した残りの部分（補強用のフランジ）で補強されて剛性大であり、パッキン９で押されても湾曲変形しないので、排気口８と排気用筒体６の接続部の気密性が低下することがない。
また、配線類１４は本体１の上面板１２に束ねてテープ１５で押えてあるので、本体１を押し上げる際に配線類１４が邪魔にならず、簡単に本体１を取付けできる。
【００２７】
前記本体取付枠２の上面板２４に形成した開口部２６は図６に示すように上面板２４のほぼ半分の大きさとしても良い。
つまり、開口部２６は排気用筒体６と排気用ダクトを接続するために手が入る程度の大きさであれば良い。
【００２８】
次に発明の第３の実施の形態を説明する。
図７に示すように、天井裏の建物（はり等）から４つの取付用ボルト３０を吊り下げ、この取付用ボルト３０を天井パネル３の開口部４と対向させる。
この２つの取付用ボルト３０間に亘って吊り金具３１をそれぞれ取付ける。
前記吊り金具３１は縦片３２と横片３３でＬ字断面の長尺材で、側面板２０の長さとほぼ同一長さで、その横片３３に２つの切欠凹部３４が取付用ボルト３０と対向してそれぞれ形成してある。
前記横片３３の切欠凹部３４を取付用ボルト３０に嵌め合せてナット３５を螺合することでロックナット３６とナット３５で横片３３を挟持して吊り金具３１を取付用ボルト３０に取付ける。
【００２９】
本体取付枠２は前述と同様に上面板２４を有し、その上面板２４に開口部２６を形成した剛性大である。
この本体取付枠２の対向した２つの側面板２０間の寸法は一対の吊り金具３１の縦片３２間の距離とほぼ同一である。
【００３０】
図８に示すように本体取付枠２は天井パネル３の開口部４から天井裏に突出し、フランジ２２を開口部周縁にねじで取付けて仮固定する。
本体取付枠２の対向した一対の側面板２０の内部からねじ３７を一対の吊り金具３１の縦片３２に螺合して一対の側面板２０を一対の吊り金具３１に取付ける。
これとともに前述と同様に排気用筒体６と排気用ダクト２３を接続する。
【００３１】
本体１を本体取付枠２内に挿入して排気口８と排気用筒体６を接続すると共に、その接続部をパッキン９で気密する。
本体１のフランジ部１０と本体取付枠２のフランジ部２２をねじで連結すると共に、そのフランジ部１０を天井パネル３の開口部周縁部に取付ける。
【００３２】
このようにすれば、本体取付枠２が吊り金具３１で取付用ボルト３０に吊り下げられる。この本体取付枠２に本体１が連結される。
したがって、本体１が本体取付枠２と吊り金具３１を介して取付用ボルト３０で吊り下げ支持されるので、天井パネル３の剛性が弱い場合でも強固に取付できる。
【００３３】
図９に示すように吊り金具３１をコ字状断面の長尺材とし、本体取付枠２の上面板２４をねじで吊り金具３１に取付けるようにしても良い。
【００３４】
【発明の効果】
請求項１に係る発明によれば、本体取付枠２を天井パネル３の開口部４より天井裏に突出した状態で穴５に排気用筒体６を挿入し、その本体取付枠２内部から手を出して天井裏に配設した排気用ダクト２３と接続することができるので、リフォーム工事の際に排気用筒体６と排気用ダクト２３を浴室内から接続することができる。
排気用ダクト２３と排気用筒体６を接続した後に本体１を本体取付枠２内に挿入することで本体１の排気口８と排気用筒体６が接続し、その接続部をパッキン９で気密される。
このようであるから、リフォーム工事の際でも浴室換気乾燥機を浴室内から簡単に取付けできるし、排気口８と排気用ダクト６の接続部から空気が洩れることがない。
【００３５】
また、本体取付枠２内に本体１を挿入して取付けることで本体１の係止片１３が本体取付枠２の係止爪片２１に係止し、本体取付枠２の側面板２０がパッキン９で押されても湾曲変形することがない。
このようであるから、排気口８と排気用筒体６の接続部の気密性が低下することがないので、接続部から空気が漏れることを確実に防止できる。
【００３６】
請求項２に係る発明によれば、本体取付枠２を天井パネル３の開口部４より天井裏に突出した状態で穴５に排気用筒体６を挿入し、その本体取付枠２の上面板２４の開口部２６から手を出して天井裏に配設した排気用ダクト２３と接続することができるので、リフォーム工事の際に排気用筒体６と排気用ダクト２３を浴室内から接続することができる。
排気用ダクト２３と排気用筒体６を接続した後に本体１を本体取付枠２内に挿入することで本体１の排気口８と排気用筒体６が接続し、その接続部をパッキン９で気密される。
このようであるから、リフォーム工事の際でも浴室換気乾燥機を浴室内から簡単に取付けできるし、排気口８と排気用ダクト６の接続部から空気が洩れることがない。
【００３７】
また、本体取付枠２は上面板２４を有し、その上面板２４にダクト接続作業用の開口部２６を形成してあるので、その上面板２４の開口部２６以外の残った部分によって本体取付枠２が補強されて剛性が大であるので、本体取付枠２の側面板２０がパッキン９で押されても湾曲変形することがない。
このようであるから、排気口８と排気用筒体６の接続部の気密性が低下することがないので、接続部から空気が漏れることを確実に防止できる。
【００３８】
請求項３に係る発明によれば、本体取付枠２を天井パネル３の開口部４より天井裏に突出して吊り金具３１に連結した状態で穴５に排気用筒体６を挿入し、その本体取付枠２の上面板２４の開口部２６から手を出して天井裏に配設した排気用ダクト２３と接続することができるので、リフォーム工事の際に排気用筒体６と排気用ダクト２３を浴室内から接続することができる。
排気用ダクト２３と排気用筒体６を接続した後に本体１を本体取付枠２内に挿入することで本体１の排気口８と排気用筒体６が接続し、その接続部をパッキン９で気密される。
このようであるから、リフォーム工事の際でも浴室換気乾燥機を浴室内から簡単に取付けできるし、排気口８と排気用ダクト６の接続部から空気が洩れることがない。
【００３９】
また、本体取付枠２は上面板２４を有し、その上面板２４にダクト接続作業用の開口部２６を形成してあるので、その上面板２４の開口部２６以外の部分によって本体取付枠２が補強されて剛性が大であるので、本体取付枠２の側面板２０がパッキン９で押されても湾曲変形することがない。
このようであるから、排気口８と排気用筒体６の接続部の気密性が低下することがないので、接続部から空気が漏れることを確実に防止できる。
【００４０】
また、補強されて剛性大の本体取付枠２が天井裏に吊り下げ支持した吊り金具３１に連結され、その本体取付枠２に本体１が連結してあるので、本体１は本体取付枠２を介して吊り金具３１で吊り下げ支持される。
これによって、天井パネル３の剛性が弱い場合でも浴室換気乾燥機を強固に取付けできる。
【図面の簡単な説明】
【図１】浴室換気乾燥機の取付けの一例を示す分解斜視図である。
【図２】本発明の第１の実施の形態を示す取付け前の斜視図である。
【図３】取付け状態の断面図である。
【図４】本発明の第２の実施の形態を示す取付け前の斜視図である。
【図５】取付け状態の断面図である。
【図６】本体取付け枠の他の例を示す斜視図である。
【図７】本発明の第３の実施の形態を示す取付け前の斜視図である。
【図８】取付け状態の断面図である。
【図９】吊り金具の他の例を示す斜視図である。
【符号の説明】
１…本体、２…本体取付枠、３…天井パネル、４…開口部、５…穴、６…排気用筒体、７…ねじ、８…排気口、９…パッキン、１１…側面板、１３…係止片、２０…側面板、２１…係止爪片、２３…排気ダクト、２４…上面板、２６…開口部、３０…取付用ボルト、３１…吊り金具、３４…切欠凹部、３５…ナット、３６…ロックナット。
【図１】
0004424697.tif 000002
【図２】
0004424697.tif 000003
【図３】
0004424697.tif 000004
【図４】
0004424697.tif 000005
【図５】
0004424697.tif 000006
【図６】
0004424697.tif 000007
【図７】
0004424697.tif 000008
【図８】
0004424697.tif 000009
【図９】
0004424697.tif 000010